(57)【要約】【課題】  レジ袋に代表されるプラスチック製袋は多種多数の商品が収納されることを前提に私用に供せられているが、柔らかく傷つき易いものと硬いものとが一緒に収納されたり、複数本のガラス瓶が一緒に収納されると、損壊の危険性があった。そこで、単価を大きく上げることなく、袋内で種々の商品が乱動しないような機能を備えたレジ袋の出現が待たれていた。【解決手段】  収納部と２つの手提げ部を有するインフレーションフィルム製ガセット袋であって、該収納部を構成する表裏２枚のフィルムの一部に熱シール部を有し、これによって該収納部が複数の空間に分画されたもの。 【選択図】  図１
2018052502.tif 000002
【特許請求の範囲】
【請求項１】
収納部と２つの手提げ部を有するインフレーションフィルム製ガセット袋であって、該収納部を構成する表裏２枚のフィルムの一部に分画用熱シール部を有し、これによって該収納部が複数の空間に分画されたものであることを特徴とするプラスチック製包装袋。
【請求項２】
該分画用熱シール部は、鉛直方向に設けられた一本又は複数本の直線状のものである請求項１記載のプラスチック製包装袋。
【発明の詳細な説明】
【技術分野】
【０００１】
本発明は、プラスチック製包装袋、その中でも主に「レジ袋」と呼ばれる袋の新規な構造に関するものである。
【背景技術】
【０００２】
「レジ袋」は、スーパーマーケットやコンビニエンスストア等の小売店で、購入商品の持ち帰り用に準備されていることで知られるプラスチック製包装袋であって、ポリオレフィン（ポリエチレンやポリプロピレン）製のものが殆んどである。安価で強度耐水性に優れ軽量であるため、極めて広く大量に普及している。なお、「レジ袋」という語句は通称であって確実な語句定義はなされていない。本明細書中においては、「レジで手渡される買い物袋」という用途を示す語句としては用いない。
【０００３】
本明細書中においてレジ袋とは、以下のものをいう。即ち、原材料（大抵は粒状高密度ポリエチレン）を熱溶融して餅状にし、これを環状にして押し出し、高圧のエアーを送り込んで膨張させて筒状の薄膜にするという方法で、インフレーションフィルムを製造し、袋の原反とする。この原反に対して熱シーリングとカッティングの加工を施すのが製袋機である。
レジ袋には多彩な形状があるので一概には言えないが製袋工程で、マチ形成、把手となる部分の形成、穴あけ、などの加工が施されることになる。
【０００４】
こうして製造されるレジ袋の典型的な構造を図５にて示す。
図示例のレジ袋１０は、インフレーション加工によって製造された筒状フィルムの上下端を熱シールし上端側を切欠して袋とした高密度ポリエチレン製であり、収納部１０１と２つの手提げ部１０２・１０２とによりなる。下端側には下端シール部１０３を有し、上端側の熱シール部分は上記切欠によって二分され、二つの上端シール部１０４・１０４を有することとなる。更に本例レジ袋１０は、マチ部１０５を左右に配した構造となっている。収納部１０１の大きさによって収納容量を変えたり、縦長にしたもの横長にしたり、マチ部１０５のサイズを変更したりすることでバリエーションはあるものの基本形状は概ね図５のようなものである。なお、マチ部１０５は、手提げ部を形成させるために必要な構造部分であるので、レジ袋にとって必須である。
【０００５】
レジ袋は通常、店内で客が購入品を買い物カゴに入れ、レジ台に持ってゆき、レジ台で店員が各商品を精算した後に用いられるもので、レジ台で店側がこのレジ袋内に商品を収納したり、商品が入ったカゴと共にレジ袋が手渡され少し離れた作荷台で客がそのレジ袋内に商品を収納する。
【０００６】
用いられるレジ袋は、一般的には商品の全体量に応じて選択された１枚若しくは複数枚ということになる。
寿しやオードブルといった盛り並べた皿を、そのままの姿勢で袋内に仕舞えるようにしたもの、など特殊な大きさの袋が別途用いられることもあるが、通常は柔らかい葉物野菜も硬いパック詰め牛乳も、他の雑多な商品と共に一つのレジ袋に収納することが多い。
【０００７】
そうすると、持ち運びの際、レジ袋内で商品が乱動し、立てて入れていたビンが倒れ、柔らかなパンがひしゃげ、果物が傷つく、といった可能性がある。異種の商品を同じ袋に入れないという方法もあるが、複数種或いは複数枚のレジ袋を使用することは、店側にとってサービスコストが高騰するため採用し難い。或いは、袋内に仕切り板を配置したり、仕切りとして機能する商品保持具を配置することで、１枚のレジ袋で、上記問題を解消しようとする方策も提案（例えば特許文献１）されている。
【先行技術文献】
【特許文献】
【０００８】
【特許文献１】特開２００６−１３１２５０公報
【発明の概要】
【発明が解決しようとする課題】
【０００９】
しかし、仕切り板や商品保持具という別部材を準備しておくことは効率的でないので、店側としては採用に躊躇することとなっている。
つまり現状では、単価を大きく上げることなく、袋内で種々の商品が乱動しないような機能を備えたレジ袋の出現が待たれていた。
【課題を解決するための手段】
【００１０】
そこで本発明者は、上記点に鑑み鋭意研究の結果遂に本発明を成したものでありその特徴とするところは、収納部と２つの手提げ部を有するインフレーションフィルム製ガセット袋であって、該収納部を構成する表裏２枚のフィルムの一部に分画用熱シール部を有し、これによって該収納部が複数の空間に分画されたものである点にある。
【００１１】
ここで「ガセット」とは、平らにしたインフレーションチューブの両側に折り目を入れて、内側に折りこんだ部分をいう。「レジ袋」の構造を、この「ガセット」を中心に説明すると、平らになったインフレーションチューブはガセットを有するものであるので、折り込まれてできる重複部分が両端に配置されることになる。また、手提げ部は上部両端からある長さの幅で構成されているが、手提げ部の幅は、ガセット重複部分の幅よりも小さいものとなる。
【００１２】
分画用熱シール部は、熱溶融によって表裏が一体化している部分を指す。熱シール部の形状・位置・数量については特に限定するものではないが、袋の収納部が分画されること、分画された各部分が収納部分として機能すること、といった目的が果たされるよう構成されるものである。
【００１３】
この熱シール部の形態としてまず挙げられるのは、これを鉛直方向に設けて収納部を分画するというものである。収納部の中心に鉛直方向に一本の熱シール部を設けると、収納部は半分ずつに分画されるので、各分画ゾーンに一本ずつガラス瓶を収納すれば、瓶同士が直接ぶつかることがなくなる。或いは、２つに分画された片方に食品を収納し、他方には洗剤など食品とは混在させたくない商品を収納するという使い方もできる。
また同様の手法で鉛直方向に２本の熱シール部を設ければ、３つに分画できることになる。なお、熱シール部によって分画するのであるが、水密を図る必要がある場合には、分画ゾーン全般にわたって連続的に熱シールされている必要があるが、そうでない場合、例えばガラス瓶同士が直接ぶつからなければ足りるという場合の熱シール部は、断続的なもの、部分的なものであっても良い。
【００１４】
或いは、分画された収納部の一つまたはいくつかだけは「底部」を持つような形で熱シール部を設けるという形態もある。一例を挙げると、収納部の上部付近に「Ｕ」字形に熱シール部を設けておき、この「Ｕ」字部分を分画すると、多種の商品の中で、桃だけはこの分画ゾーンに収納する、といった使い方ができる。
【００１５】
該熱シール部の形成は、完成した袋に対して追加的に行なうものであっても良いが、インフレーションフィルムを袋に加工する段階、即ち製袋段階に組み込まれたものであっても良い。製袋段階で該熱シール部を形成する場合、製袋機のどの部分にどの方式（熱板方式或いはインパルス方式）で行なうかは本発明においては限定しない。
【発明の効果】
【００１６】
本発明に係るプラスチック製包装袋は、収納部と２つの手提げ部を有するインフレーションフィルム製ガセット袋であって、該収納部を構成する表裏２枚のフィルムの一部に分画用熱シール部を有し、これによって該収納部が複数の空間に分画されたものであることを特徴とするものであり、以下述べるような効果を有する極めて高度な発明である。
（１）  これまでは１つの袋に入れることが好ましくなかった商品が収納できる。
（２）  袋の基本形状はそのままに、収納部を分画することができるので、製造設備に大掛かりな変更を施す必要がない。
【図面の簡単な説明】
【００１７】
【図１】本発明に係るプラスチック製包装袋の一例を示す概略正面図である。
【図２】（ａ）（ｂ）はそれぞれ図１で示した本発明袋の使用状態を示すいずれも概略斜視図である。
【図３】（ａ）（ｂ）（ｃ）はそれぞれ、分画熱シール部の形状に関する他の例を示すいずれも概略正面図である。
【図４】本発明袋の他の例を示す概略正面図である。
【図５】従来のレジ袋の構造の典型的な一例を示す概略正面図である。
【発明を実施するための形態】
【実施例】
【００１８】
図１は本発明に係るプラスチック製包装袋１（以下「本発明袋１」という）の一例を示すものである。図より明らかなように本例の本発明袋１は、収納部２と二つの手提げ部３、並びに両端にガセット部４を有するいわゆるレジ袋の一種である。従って、上端には加工時熱シールされ切欠によって二分された上端熱シール部５・５が、また下端には下端熱シール部６が存在する。
【００１９】
また収納部２部分には、分画熱シール部７が設けられている。この分画熱シール部７の存在が本発明の特徴であり、本例では収納部２を縦方向に二等分する一本のラインとなっている。これにより収納部２は、区画Ａと区画Ｂに分画されることになるが、収納部２を完全に分けるというのではなく、収納部２の底側については区画Ａ・Ｂの境界をあいまいなものとすべく、分画熱シール部７は、下端熱シール部６には達していない。
【００２０】
図２（ａ）（ｂ）はそれぞれ、図１で示した例の本発明袋１の使用状態を示したものであり、同図（ａ）では容量９００ｍｌのガラス瓶（清酒）を２本収納した例を、同図（ｂ）では収納部２の底部に長さ２０ｃｍ程の箱を収納した後、容量９００ｍｌのガラス瓶（清酒）を１本、鶏卵１０個が収められた鶏卵パック１個を収納した例を示す。
【００２１】
なお本発明袋１の分画熱シール部７は、鉛直方向に一本設けるものに限定されるものではなく、２本（３区画に分画される）でも３本以上設けても良い（図示略）。
【００２２】
分画熱シール部７の形状はこれまで図示した如く、連続線にて形成されるもの（ａ）であってよいが、断続するもの（ｂ）であってもよいし、２本を一組とするもの（ｃ）であっても良いとする。以上を図３にて示す。
【００２３】
分画熱シール部７の形成方法に関しては特に限定するものではないが、インフレーションフィルムを袋に加工する製袋工程に、分画熱シール部形成加工を付加すると、大量に製造する場合には特に合理的である。勿論、通常のレジ袋完成品に対して、分画熱シール部７形成加工を施してやるという方法を採用しても、例えば付加的な設備投資を控えるという場合には好適な製造方法であると言える。
【００２４】
更に分画熱シール部７は、直線状でなくても良い。例えば図４に示すように、収納部２の上部付近に「Ｕ」字状に分画熱シール部７を設けるようにしても良い。このＵ字状の分画熱シール部７によって形成される区画Ｃは、他の商品と一緒に収納させておくと、傷んでしまい易い商品（例えばモモやリンゴなどの果実）を、同一の袋でありながら他の商品とは隔絶されるように収納させるためのものである。従来はリンゴやモモを傷つけないようにするには、フルーツキャップと呼ばれる発泡プラスチック製ネットで包んでやるのが一般的であったが、本例の場合にはこれが省略できる。
【００２５】
本発明袋１の材質は、基本的にポリオレフィン（ポリエチレンやポリプロピレン）が採用されるが、これに限定されるものではなく適宜採用すればよいものとする。
【符号の説明】
【００２６】
１      本発明に係るプラスチック製包装袋
２      収納部
３      手提げ部
４      ガセット部
５      上端熱シール部
６      下端熱シール部
７      分画熱シール部
１０    レジ袋（従来例）
１０１  収納部
１０２  手提げ部
１０３  下端熱シール部
１０４  上端熱シール部
１０５  マチ部
【図１】
2018052502.tif 000003
【図２】
2018052502.tif 000004
【図３】
2018052502.tif 000005
【図４】
2018052502.tif 000006
【図５】
2018052502.tif 000007